(57)【特許請求の範囲】
【請求項１】
表裏面と、表裏面に対して所定の角度θ（０＜θ＜９０度）で傾斜する傾斜面と該傾斜面の下方に連続して表裏面に対して略垂直である垂直面とから形成される四周側面とを有して断面台形状に形成される板部材と、この板部材の少なくとも表面と四周側面を覆うように貼着される化粧シートとからなる化粧板材において、化粧シートは、板部材の表面を覆う中央部と、中央部の各辺から外方に延長形成され、板部材の各側面の傾斜面を覆う傾斜面被覆部と垂直面を覆う垂直面被覆部とが連続してなる延長部とを有し、隣接する延長部の傾斜面被覆部同士および垂直面被覆部同士はそれぞれ分断されており、化粧シートの中央部を板部材の表面に貼着し、各延長部を板部材の表面と各側面との交差線に沿って折り曲げて各側面の傾斜面および垂直面に貼着したときに、隣接する延長部の分断された傾斜面被覆部同士および垂直面被覆部同士の継ぎ目が板部材の隣接側面同士の略交差線上に位置することを特徴とする扉体として用いられる化粧板材。
【請求項２】
化粧シートの延長部のうち少なくとも一の延長部が、板部材の裏面側に回り込んで板部材の裏面の一部に貼着される裏面被覆部を有することを特徴とする、請求項１記載の化粧板材。
【発明の詳細な説明】
【技術分野】
【０００１】
本発明は、板部材の表面および四周側面に一枚の化粧シートを貼着してなる化粧板材に関する。
【背景技術】
【０００２】
天然板材の枯渇化およびそれに伴う価格上昇などを背景として、無垢材に代えて、板部材の表面および四周側面を化粧シートで被覆してなる化粧板材を建材などに用いることが広く行われている。このような化粧板材の一例が図１０に示されており、板部材２と略同一の長手方向長さを有すると共に板部材２より長い短手方向長さを有する化粧シート３を用いて、板部材２の表面からその長手方向に延長する一対の側面を覆い、さらに化粧シート３の両端を板部材２の裏面にまで巻き込むようにして板部材２に貼着し、化粧シート３によっては被覆されない板部材の他の一対の側面には縁材（または化粧シート３とは別の化粧シート）４をそれぞれ貼着して、化粧板材１を形成している。この例では、化粧シート３および縁材４にはそれぞれ木目調の印刷模様５，６が形成されている。
【０００３】
また、特許文献１に記載されるように、板部材の表面および四周側面に一枚の化粧シートを貼着してなる化粧板材（シートラッピング製品）も公知である。この化粧板材に用いる化粧シートは、板部材の隣り合う２側面に貼着する貼付片（第一側面貼付片と第二側面貼付片）同士の間が三角形状の切欠きであらかじめ分断されており、板部材の表面から第一側面を覆うように貼着した後、第一側面貼付片の両端を折り返して第二側面貼付片と共に第二側面に貼着して、化粧板材を形成する。
【先行技術文献】
【特許文献】
【０００４】
【特許文献１】特開２００８−０８７１６０号公報
【発明の概要】
【発明が解決しようとする課題】
【０００５】
化粧板材は化粧シート貼りによって表面意匠性が向上されているが、特にドアや引戸、収納家具などの扉体として用いられる場合、その表面から側面にかけて人の手や物に接触する機会が多くなり、このような箇所に化粧シートの継ぎ目が存在すると、化粧シートが剥がれて表面意匠性を損なうことになる。
【０００６】
図１０に例示した従来技術によると、板部材２の長手方向両端において表面と側面との境界線７に化粧シート３と縁材４の継ぎ目が現出する。板部材２の表面と側面との境界線７は、この化粧板材を建材として使用した場合に人の目につきやすい箇所であるため、見栄えが悪くなる。化粧シート２と縁材３は別部材であり、これらに木目模様４，５を印刷形成したとしても、連続した木目模様を形成することは不可能であり、色調なども完全に一致させることはできないので、より一層見栄えが悪くなる。加えて、板部材の表面と側面との境界線は人の手や物に接触する機会が多く、線状の小さな接触面積に大きな力が作用して擦れることにより、化粧シート２および／または縁材３が剥がれやすい。
【０００７】
特許文献１記載の従来技術のように一枚の化粧シートで板部材の表面から四周側面を覆うようにした場合は、上記の不利欠点の一部を解消させることができるが、第一側面貼付片の両端を折り返して第二側面貼付片と共に第二側面に貼着したときに、これらの継ぎ目が板部材の第二側面に現出する（図１（ａ），図２（ａ），図３（ａ），図４（ａ），図５（ａ）参照）。板部材の側面は、この化粧板材を建材として使用した場合に人の目につきやすい箇所であるため、見栄えが悪くなる。特に木目模様などを印刷した化粧シートを用いる場合、継ぎ目が側面に現出すると、その部分で模様が途切れて連続しないので、見栄えが大きく損なわれる。また、板部材の側面は人の手や物に接触する機会が多いので、第一側面貼付片の両端の折り返し部分が剥がれやすい。
【０００８】
また、特許文献１記載の従来技術は、単純な直方体形状の板部材にしか適用することができず、図１０に示したような形状の板部材、すなわち、一対の対向する側面（図１０では長手方向に延長する側面）が傾斜面と垂直面とで形成され、断面が台形状である板部材や、各側面が傾斜面と垂直面とで形成され、直交する２つの断面がいずれも台形状である板部材には適用することができない。
【０００９】
したがって、本発明が解決しようとする課題は、台形状断面を有する板部材の表面から四周側面を一枚の化粧シートで覆う化粧板材であって、意匠性に優れ、長年の使用によっても化粧シートが剥がれにくい化粧板材を提供することである。
【課題を解決するための手段】
【００１０】
この課題を解決するため、本願の請求項１に係る発明は、表裏面と、表裏面に対して所定の角度θ（０＜θ＜９０度）で傾斜する傾斜面と該傾斜面の下方に連続して表裏面に対して略垂直である垂直面とから形成される四周側面とを有して断面台形状に形成される板部材と、この板部材の少なくとも表面と四周側面を覆うように貼着される化粧シートとからなる化粧板材において、化粧シートは、板部材の表面を覆う中央部と、中央部の各辺から外方に延長形成され、板部材の各側面の傾斜面を覆う傾斜面被覆部と垂直面を覆う垂直面被覆部とが連続してなる延長部とを有し、隣接する延長部の傾斜面被覆部同士および垂直面被覆部同士はそれぞれ分断されており、化粧シートの中央部を板部材の表面に貼着し、各延長部を板部材の表面と各側面との交差線に沿って折り曲げて各側面の傾斜面および垂直面に貼着したときに、隣接する延長部の分断された傾斜面被覆部同士および垂直面被覆部同士の継ぎ目が板部材の隣接側面同士の略交差線上に位置することを特徴とする扉体として用いられる化粧板材である。
【００１１】
本願の請求項２に係る発明は、請求項１記載の化粧板材において、化粧シートの延長部のうち少なくとも一の延長部が、板部材の裏面側に回り込んで板部材の裏面の一部に貼着される裏面被覆部を有することを特徴とする。
【発明の効果】
【００１２】
請求項１に係る本発明によれば、板部材の表面から四周側面にかけて連続して一枚の化粧シートが貼着されるので、色や柄が統一された見栄えの良い化粧板材とすることができる。特に、木目柄を有する化粧シートを用いた場合、板部材の表面だけでなく四周側面にも連続して木目柄が現出するので、天然木材のように見える効果がある。
【００１３】
また、化粧シートの隣接延長部同士の継ぎ目が、板部材の隣接側面同士が交差する交差線上に略位置するので、人の目に付きにくく、継ぎ目が目立つことによって見栄えが悪くなることを防止することができる。
【００１４】
請求項２に係る本発明によれば、上記の効果に加えて、化粧シートが板部材の裏面側まで回り込んで貼着されるので、化粧シートが剥がれて見栄えを悪くすることを防止する効果が発揮される。
【図面の簡単な説明】
【００１５】
【図１】本発明の一実施形態による化粧板材の斜視図である。
【図２】この化粧板材の分解斜視図である。
【図３】図１中Ａ部拡大図である。
【図４】化粧シートの延長部を板部材の側面に貼着する前の状態を示すＡ部拡大図である。
【図５】この化粧板材に用いる板部材の平面図（ａ）、正面図（ｂ）、背面図（ｃ）、左側面図（ｄ）および右側面図（ｅ）である。
【図６】この化粧板材に用いる化粧シートの平面図である。
【図７】この化粧板材に使用可能な化粧シートの一例を示す平面図である。
【図８】この化粧板材に使用可能な化粧シートの他例を示す平面図である。
【図９】この化粧板材に使用可能な化粧シートのさらに他例を示す平面図である。
【図１０】従来技術により化粧板材の斜視図である。
【発明を実施するための最良の形態】
【００１６】
本発明の好適な一実施形態による化粧板材について、図１〜図６を参照して以下に詳述する。この化粧板材１０は、板部材２０の少なくとも表面および四周側面を覆うように化粧シート３０が貼着されてなる。なお、図において板部材２０に施されている斜線は木目を示すものではなく、化粧シート３０との違いを示すためのものである。
【００１７】
板部材２０について、特に図２および図５を参照して説明すると、この板部材２０は、矩形状の表面２１と、矩形状の裏面２２と、これら表裏面２１，２２に対して所定の角度θ（０＜θ＜９０度）で傾斜する傾斜面２３ａ〜２６ａと該傾斜面の下方に連続して表裏面２１，２２に対して略垂直である垂直面２３ｂ〜２６ｂとから形成される側面２３〜２６とを有してなる、略直方体である。板部材２０の材質は特に限定されず、その用途などに応じて、合板、ＭＤＦ、パーティクルボードなどの木質系板材、合成樹脂板材、金属製板材などを用いることができる。板部材２０の寸法は特に限定されないが、この実施形態では、表面２１が３８２ｍｍ×５２５ｍｍ、裏面２２が３９７ｍｍ×５４０ｍｍ、厚さが１８ｍｍ（傾斜面２３ａ〜２６ａの部分の厚さ７．５ｍｍ＋垂直面２３ｂ〜２６ｂの部分の厚さ１０．５ｍｍ）であり、傾斜面２３ａ〜２６ａは垂直面２３ｂ〜２６ｂに対して４５度（表裏面２１，２２に対しても４５度）の傾斜角度θを有し、その面の長さは１０．６ｍｍである。
【００１８】
この板部材２０の少なくとも表裏面２１，２２および四周側面２３〜２６を被覆するために用いられる化粧シート３０について、特に図２および図６を参照して説明すると、この化粧シート３０は、板部材表面２１と同一形状および寸法を有して板部材表面２１を被覆する矩形状の中央部３１と、四周辺から各々外方に延長する延長部３２〜３５とを有するシート状部材であり、その表面全般には木目調の印刷模様３６が施されている。化粧シート３０の材質は、合成樹脂シート、化粧紙、突板など板部材２０に貼着することができるものであれば特に限定されないが、安全性および環境保護の観点が重視されるときは、燃焼時に塩化水素ガスやダイオキシンをほとんど発生しないオレフィン（ポリエチレン、ポリプロピレンなど）シートを用いることが好ましい。
【００１９】
化粧シート３０の延長部３２〜３５は板部材２０の側面２３〜２６を被覆する部分である。この実施形態では、中央部３１の短手辺から延長する一対の延長部３２，３４については、板部材側面２３，２５のみを全面的に被覆するために、その傾斜面２３ａ，２５ａおよび垂直面２３ｂ，２５ｂをそれぞれ被覆する傾斜面被覆部３２ａ，３４ａおよび垂直面被覆部３２ｂ，３４ｂを有するものとして形成されているが、中央部３１の長手辺から延長する一対の延長部３３，３５については、板部材側面２４，２６からさらに裏面２２側に回り込んで裏面２２の一部をも被覆するために、その傾斜面２４ａ，２６ａおよび垂直面２４ｂ，２６ｂをそれぞれ被覆する傾斜面被覆部３３ａ，３５ａおよび垂直面被覆部３３ｂ，３５ｂに加えて、さらに、板部材２０の裏面２２に回り込んで裏面２２の一部を被覆する裏面被覆部３３ｃ，３５ｃを有するものとして形成されている。
【００２０】
このような形状の化粧シート３０は、延長部３２〜３５の各外側縁を四辺とする矩形状シート３０’（図６）の４つの角を所定形状に切り欠くことにより形成することができる。延長部３２，３３を切り離して形成するための切欠３７は、延長部３２の傾斜面被覆部３２ａの端縁に表れる辺３７ａと、その垂直面被覆部３２ｂの端縁に表れる辺３７ｂと、延長部３３の傾斜面被覆部３３ａの端縁に表れる辺３７ｃと、その垂直面被覆部３３ｂおよび裏面被覆部３３ｃの端縁に表れる辺３７ｄとによって規定される。辺３７ｂは、中央部３１と延長部３２との境界線３２ｄに対して垂直に延長し、辺３７ｄは、中央部３１と延長部３３との境界線３３ｄに対して垂直に延長する。辺３７ａと辺３７ｃは、延長部３２，３３を境界線３２ｄ，３３ｄに沿って折り曲げて板部材側面２３，２４の傾斜面２３ａ，２４ａに密接させたときに、これら辺３７ａ，３７ｃ同士が傾斜面２３ａ，２４ａ同士の交差線４１に沿って隙間なく位置するように、境界線３２ｄ，３３ｄに対して所要の角度で形成される。他の切欠３８〜４０についても同様である。
【００２１】
以上の説明から理解されるように、板部材２０の各部が前述の寸法を有する場合、化粧シート３０の延長部３２〜３５の両端に表れる辺３７ａ，３７ｃの長さは、それぞれ板部材側面２３〜２６の傾斜面２３ａ〜２６ａの面長さと同じ１０．６ｍｍであり、延長部３２，３４の両端に表れる辺３７ｂの長さは、それぞれ板部材側面２３，２５の垂直面２３ｂ，２５ｂの面長さと同じ１０．５ｍｍあり、延長部３３，３５の両端に表れる辺３７ｄの長さは、それぞれ該垂直面長さ１０．５ｍｍにさらに裏面被覆部３３ｃの幅（ここでは１０ｍｍ）を加えた２１．５ｍｍとなる。
【００２２】
上記した板部材２０と化粧シート３０（切欠形成前の化粧シート３０’の４つの角に各々切欠３７〜４０を形成したもの）を用い、化粧シート３０の裏面に接着剤を塗布して、その中央部３１を板部材２０の表面２１に貼着し、延長部３２，３４を板部材２０の表面２１と側面２３，２５との角（境界線３２ｄ，３４ｄ）および傾斜面２３ａ，２５ａと垂直面２３ｂ，３５ｂとの角（境界線３２ｅ，３４ｅ）に沿って順次に折り曲げて、その傾斜面被覆部３２ａ，３４ａおよび垂直面被覆部３２ｂ，３４ｂをそれぞれ傾斜面２３ａ，２５ａおよび垂直面２３ｂ，２５ｂに貼着すると共に、延長部３３，３５を板部材２０の表面２１と側面２４，２６との角（境界線３３ｄ，３５ｄ）、傾斜面２４ａ，２６ａと垂直面２４ｂ，２６ｂとの角（境界線３３ｅ，３５ｅ）および垂直面２４ｂ，２６ｂと裏面２２との角（境界線３３ｆ，３５ｆ）に沿って順次に折り曲げて、その傾斜面被覆部３３ａ，３５ａ、垂直面被覆部３３ｂ，３５ｂおよび裏面被覆部３３ｃ，３５ｃをそれぞれ傾斜面２４ａ，２６ａ、垂直面２４ｂ，２６ｂおよび裏面２２に貼着する。このようにして化粧シート３０を板部材２０に貼着することにより、図１の化粧板材１０が得られる。さらに、板部材２０の素材の色柄が裏面２２に現出することを防止するために、裏面２２に合成樹脂シートなどを貼着しても良い。
【００２３】
このとき、図３および図４に詳細に示されるように、化粧シート３０の延長部３２，３４は、中央部３１と傾斜面被覆部３２ａ，３４ａとの境界線３２ｄ，３４ｄおよび傾斜面被覆部３２ａ，３４ａと垂直面被覆部３２ｂ，３４ｂとの境界線３２ｅ，３２ｅをそれぞれ折れ線として折り曲げて板部材側面２３，２５の傾斜面２３ａ，２５ａおよび垂直面２３ｂ，２５ｂに順次に貼着され、延長部３３，３５は、中央部３１と傾斜面被覆部３３ａ，３５ａとの境界線３３ｄ，３５ｄ、傾斜面被覆部３３ａ，３５ａと垂直面被覆部３３ｂ，３５ｂとの境界線３３ｅ，３５ｅおよび垂直面被覆部３３ｂ，３５ｂと裏面被覆部３３ｃ，３５ｃとの境界線３３ｆ，３５ｆをそれぞれ折れ線として折り曲げて板部材側面２３，２５の傾斜面２３ａ，２５ａから垂直面２３ｂ，２５ｂを経て裏面２２の一部まで順次に貼着され、隣接する延長部の端縁は、板部材２０において隣接する側面の傾斜面２３ａ〜２６ａ同士の交差線４１および垂直面２３ｂ〜２６ｂ同士の交差線４２上に位置する。すなわち、切欠３７〜４０によって分断された化粧シート３０の隣接延長部同士の継ぎ目が、板部材２０の隣接側面同士の交差線４１，４２に略合致して位置するので、目立たない。この継ぎ目が完全に線上に位置せずに若干の隙間が生じた場合であっても、板部材２０の側面同士の交差線４１，４２に表れるものであるので、表面２１と側面２３〜２６との角（境界線３２ｄ〜３５ｄ）に表れる場合に比べるとそれほど目立たない。この場合には、より見栄えを良くするために、交差線４１，４２上に表れる隙間を削って整形したり、隙間に着色しても良い。
【００２４】
既述したように、化粧シート３０は板部材２０の少なくとも表面２１および四周側面２３〜２６を覆うものであり、中央部３１が板部材２０の表面２１に貼着され、延長部３２〜３５が板部材２０の少なくとも傾斜面２３ａ〜２６ａおよび垂直面２３ｂ〜２６ｂに貼着されるが、これら延長部３２〜３５の少なくとも一を板部材２０の裏面２２側に回り込ませて裏面２２で貼着するようにしても良い。このようにすると、化粧シート３０の端縁が板部材２０の裏面２２側に位置することになるので、人の手や物に接触しにくく、剥がれにくいものとすることができる。
【００２５】
図２および図６に示す化粧シート３０は、延長部３２，３４には裏面被覆部を設けずに延長部３３，３５に裏面被覆部３３ｃ，３５ｄを設けた例であるが、図示実施形態とは逆に、延長部３３，３５には裏面被覆部を設けずに延長部３２，３４に裏面被覆部３２ｃ，３４ｄを設けた実施形態（図７）、すべての延長部３２〜３５を傾斜面被覆部３２ａ〜３５ａおよび垂直面被覆部３２ｂ〜３５ｂで形成して裏面被覆部を設けない実施形態（図９）、すべての延長部３２〜３５に裏面被覆部３２ｃ〜３５ｃを設けた実施形態（図８）なども、本発明の範囲内である。延長部３２，３４に裏面被覆部３２ｃ，３４ｃを設ける場合は、延長部３２，３４を境界線３２ｄ，３４ｄに沿って折り曲げて傾斜面被覆部３２ａ，３４ａを板部材側面２３，２５の傾斜面２３ａ，２５ａに貼着し、境界線３２ｅ，３４ｅに沿って折り曲げて垂直面被覆部３２ｂ，３４ｂを板部材側面２３，２５の垂直面２３ｂ，２５ｂに貼着し、さらに、境界線３２ｆ，３４ｆに沿って折り曲げて裏面被覆部３２ｃ，３４ｃを板部材裏面２２に貼着する。図８の場合は、延長部３２，３４の裏面被覆部３２ｃ，３４ｃと延長部３３，３５の裏面被覆部３３ｃ，３５ｃとが板部材２０の裏面２２の角部において部分的に重なり合うことになるが、いずれを上にして貼着しても良いし、重なる部分をカットしても良い。
【００２６】
化粧シート３０の延長部３２〜３５に裏面被覆部３２ｃ〜３５ｃを設ける場合、その長さを５ｍｍ以上とすることが好ましい。５ｍｍ以下であると、板部材２０の裏面２２側に回り込んだ化粧シート３０の端縁が、垂直面２３ｂ〜２６ｂと裏面２２との角（交差線）からの距離が短すぎて、指先が引っ掛かり、徐々に剥がれていく可能性がある。化粧シート３０が板部材裏面２２に５ｍｍ以上貼着されていれば、指先が引っ掛かる可能性が小さくなり、また、たとえ引っ掛かって剥がれ始めたとしても、その剥がれが側面２３〜２６まで到達して見栄えを悪くする恐れは小さい。
【００２７】
なお、図９に示すように、第一延長部３２と第二延長部３３のいずれにも裏面被覆部を設けない実施形態の場合は、上述の効果を得ることはできないが、このような実施形態も本発明の範囲内である。
【符号の説明】
【００２８】
１０  化粧板材
２０  板部材
２１  表面
２２  裏面
２３〜２６  側面
２３ａ〜２６ａ  傾斜面
２３ｂ〜２６ｂ  垂直面
３０  化粧シート
３０’  切欠形成前の化粧シート
３１  中央部
３２〜３５  延長部
３２ａ〜３５ａ  傾斜面被覆部
３２ｂ〜３５ｂ  垂直面被覆部
３２ｃ〜３５ｃ  裏面被覆部
３２ｄ〜３５ｄ  中央部と傾斜面被覆部の境界線
３２ｅ〜３５ｅ  傾斜面被覆部と垂直面被覆部の境界線
３２ｆ〜３５ｆ  垂直面被覆部と裏面被覆部の境界線
３６  印刷模様
３７〜４０  切欠
４１  板部材の隣接側面の傾斜面同士の交差線
４２  板部材の隣接側面の垂直面同士の交差線
【図１】
0006608134.tif 000002
【図２】
0006608134.tif 000003
【図３】
0006608134.tif 000004
【図４】
0006608134.tif 000005
【図５】
0006608134.tif 000006
【図６】
0006608134.tif 000007
【図７】
0006608134.tif 000008
【図８】
0006608134.tif 000009
【図９】
0006608134.tif 000010
【図１０】
0006608134.tif 000011